(57)【特許請求の範囲】
【請求項１】
通信回線網に接続された基地局に対して無線回線により接続される端末装置において、
この端末装置とは別体であり該端末装置と接続して充電を行う充電装置との接続状態でなくなってから所定の時間を計時するタイマ手段と、
このタイマ手段の所定時間の計時により前記端末装置での動作を不能にする制御手段と、
を具備したことを特徴とする端末装置。
【請求項２】
前記端末装置および充電装置は、固有の識別情報を記憶する記憶手段を有し、
前記制御手段は、前記端末装置が前記充電装置に接続され、前記端末装置および充電装置のそれぞれの記憶手段に記憶されている固有の識別情報が一致すると前記タイマ手段を再起動することで前記端末装置での動作不能を回避することを特徴とする請求項１記載の端末装置。
【発明の詳細な説明】
【０００１】
【発明の属する技術分野】
本発明は、システム運用上の安全性を確保した端末装置に関する。
【０００２】
【従来の技術】
最近、無線通信システムとして、ＰＨＳ（パーソナル・ハンディホン・システム）が実用化さている。
ところで、このようなＰＨＳシステムに用いられるＰＨＳ端末は、携帯性に優れたもので、１台のＰＨＳ端末で、家庭や会社などの室内に加え、屋外でも基地局（親機）を介して通信できるようになっており、このためサービス可能なエリアの拡大とともに、ＰＨＳ端末を携帯する人口もますます増加する傾向にある。
【０００３】
ところが、このように携帯性に優れ、外出先でも広く使用できる便利なものであるため、この反面で、置き忘れや盗難などの危険性が常にともなっている。
そして、一旦、ＰＨＳ端末の置き忘れや盗難が発生すると、紛失したＰＨＳ端末が不特定多数の第３者によって不当に使用されることがあり、例えば、かかるＰＨＳ端末から発呼がなされた場合は、正当な端末所有者に不当な使用料金の請求がなされることがあり、また、データバンクなどのユーザデータを記憶蓄積する機能を有するＰＨＳ端末の場合は、ユーザデータが不正に読み出されデータが悪用されるなどのおそれがあった。
【０００４】
そこで、従来、このような不都合を防止するため、ＰＨＳ端末にパスワード機能を付加し、パスワードを設定することで、通常発呼やユーザデータの読み出しをできない動作不能状態にしておき、パスワードを入力して、この動作不能状態を解除することにより発呼やユーザデータの読み出しを可能にしたものが考えられており、このようにすることで紛失したＰＨＳ端末の不特定多数の第３者による不正使用を防止できるようにしている。
【０００５】
【発明が解決しようとする課題】
ところが、このようなパスワードを利用したものでは、紛失した際の確実な効果を期待するために、発呼やユーザデータの読み出しの度に、パスワードを入力して動作不能状態を解除する操作を繰り返さなければならず、このための操作か面倒で使用しずらいという問題点があった。
【０００６】
本発明は、正当な端末所有者以外による不正使用を確実に防止できるようにした端末装置を提供することを目的とする。
【０００７】
【課題を解決するための手段】
請求項１記載の発明は、通信回線網に接続された基地局に対して無線回線により接続される端末装置において、この端末装置とは別体であり該端末装置と接続して充電を行う充電装置との接続状態でなくなってから所定の時間を計時するタイマ手段と、このタイマ手段の所定時間の計時により前記端末装置での動作を不能にする制御手段と、を具備したことを特徴とする。
【０００８】
請求項２記載の発明は、請求項１記載において、前記端末装置および充電装置は、固有の識別情報を記憶する記憶手段を有し、前記制御手段は、前記端末装置が前記充電装置に接続され、前記端末装置および充電装置のそれぞれの記憶手段に記憶されている固有の識別情報が一致すると前記端末装置での動作不能を回避することを特徴とする。
【００１８】
【発明の実施の形態】
以下、本発明の実施の形態を図面に従い説明する。
（第１の実施の形態）
図１は、本発明の実施の形態が適用される無線通信システムの概略構成を示している。図において、１１は通信回線網で、この通信回線網１１には、基地局として、公衆基地局１２、自営基地局１３を接続している。そして、これら公衆基地局１２、自営基地局１３に対してＰＨＳ端末１４を無線回線により接続可能としている。
【００１９】
ここで、ＰＨＳ端末１４は、使用していない状態で充電器１５にセット可能にしていて、この充電器１５により内部電源電池を充電できるようにしている。
図２は、このような無線通信システムに適用されるＰＨＳ端末１４および充電器１５の概略構成を示している。
【００２０】
図において、２１はアンテナで、このアンテナ２１には、送受信装置２２を接続している。この送受信装置２２は、周波数変換部とモデムで構成されるもので、周波数変換部の受信側では、アンテナ２１から入力された信号が送信／受信を振り分けるアンテナスイッチを介して入力され、ＰＬＬシンセサイザから出力される所定周波数の局部発振信号と混合することにより、１．９ＧHz帯から１ＭHz付近のＩＦ信号に周波数変換する。一方、送信側では、モデムから入力されたπ／４シフトＱＰＳＫの変調波をＰＬＬシンセサイザから出力される所定周波数の局部発振信号と混合することにより、１．９ＧHz帯に周波数変換し、アンテナスイッチを介してアンテナ２１より輻射するようにしている。
【００２１】
また、モデムの受信側では、周波数変換部からのＩＦ信号が復調されＩＱデータに分離され、データ列になって通信制御部に転送するようにしている。一方、送信側では、通信制御部から転送されてきたデータからＩＱデータを生成し、π／４シフトＱＰＳＫに変調して周波数変換部に出力する。
【００２２】
そして、この送受信装置２２に、通信制御部２３、音声処理部２４を順に接続し、この音声処理部２４にスピーカ２５およびマイクロフォン２６を接続している。
【００２３】
ここで、通信制御部２３は、フレーム同期およびスロットのデータフォーマット処理を行うもので、受信側では、送受信部２２のモデムから送られてくる受信データから所定タイミングで１スロット分のデータを取り出し、このデータの中からユニークワード（同期信号）を抽出してフレーム同期をとり、且つ制御データ部および音声データ部のスクランブルなどを解除した後、制御データは後述する制御部２７に送り、音声データは音声処理部２４に転送する。一方、送信側では、音声処理部２４から送られてくる音声データに制御データなどを付加し、スクランブルなどをかけた後にユニークワードなどを付加して１スロット分の送信データを作成し、所定タイミングでフレーム内の所定スロットに挿入して送受信部２２のモデムに送出する。
【００２４】
音声処理部２４は、スピーチコーディックおよびＰＣＭコーディックにより構成され、このうちスピーチコーディックは、デジタルデータの圧縮／伸長処理を行うもので、受信側では、通信制御部２３から送られてきたＡＤＰＣＭ音声信号（４bit ×８ＫHz＝３２Ｋbps ）をＰＣＭ音声信号（８bit ×８ＫHz＝６４Ｋbps ）に復号化することにより伸長してＰＣＭコーディックに出力する。一方、送信側では、ＰＣＭコーディックから送られてきたＰＣＭ音声信号をＡＤＰＣＭ音声信号に符号化することにより圧縮して通信制御部２３に出力する。
【００２５】
また、ＰＣＭコーディックは、アナログ／デジタル変換処理を行うもので、受信側では、スピーチコーディックから送られてくるＰＣＭ音声信号をＤ／Ａ変換してアナログ音声信号をスピーカ２５に出力する。一方、送信側では、マイクロフォン２６から入力されたアナログ音声信号をＡ／Ｄ変換してＰＣＭ音声信号をスピーチコーディックに出力する。
【００２６】
そして、これら送受信部２２、通信制御部２３、音声処理部２４には、制御部２７を接続し、この制御部２７に、ＲＯＭ２８、ＲＡＭ２９、キー入力部３０、表示部３１、タイマ３２を接続し、さらに充電器１５を接続可能にしている。
【００２７】
ここで、ＲＯＭ２８は、制御部２７での制御プログラムを記憶したものである。ＲＡＭ２９は、制御部２７での制御により取り扱われるデータを一時記憶するものである。キー入力部３０は、各機能を設定するためのキー入力や所定のパスワードなどを制御部２７に入力するためのものである。表示部３１は、各種制御のための入力データおよび結果などを表示するものである。
【００２８】
また、タイマ３２は、予め所定のタイマ時間を設定したもので、充電器１５によるＰＨＳ端末１４の充電状態でなくなってからタイマ時間を計時し、所定のタイマ時間の経過によりタイムオーバ信号を出力するようにしている。
【００２９】
さらに、充電器１５は、ＰＨＳ端末１４の電源電池３３を充電する充電回路１５１、ＰＨＳ端末１４固有の認識（ＩＤ）情報を記憶したＩＤ記憶部１５２およびＩ／Ｆ回路１５３を有していて、図示のＰＨＳ端末１４がセットされた状態で、充電回路１５１により電源電池３３を充電するとともに、Ｉ／Ｆ回路１５３を介してＩＤ記憶部１５２のＩＤ情報を制御部２７に出力するようにしている。
【００３０】
制御部２７は、所定のプロトコルに従い装置全体を制御するとともに、ここでは、タイマ３２のタイムオーバによりＰＨＳ端末１４での発呼やユーザデータの読み出しなどの動作の禁止を指示し、また、充電器１５のＩＤ記憶部１５２からのＩＤ情報に対してＰＨＳ端末１４固有の認識（ＩＤ）情報を比較し、この比較結果により、タイマ３２の再起動またはＰＨＳ端末１４での発呼やユーザデータの読み出しなどの動作の禁止などを指示するようにもなっている。
【００３１】
次に、このように構成した実施の形態の動作を図３に示すフローチャートにより説明する。
まず、ＰＨＳ端末１４の電源投入などにより、ステップ３０１で、タイマ３２が一旦起動され、ステップ３０２で、この時のＰＨＳ端末１４が充電器１５にセットされ充電状態にあるかを判断する。ここで、ＰＨＳ端末１４が携帯されていて、充電器１５にセットされておらずＮＯならば、ステップ３０３で、タイマ３２の設定時間がタイムオーバになったかを判断する。
【００３２】
この場合、タイマ３２によるタイムオーバに至らずＮＯならば、ステップ３０３に戻り、再び、ＰＨＳ端末１４が充電器１５にセットされ充電状態にあるかを判断し、さらにステップ３０３で、タイマ３２のタイムオーバを判断する。
【００３３】
この状態から、ステップ３０３で、タイマ３２がタイムオーバになってＹＥＳを判断すると、ステップ３０４に進み、ＰＨＳ端末１４からの発呼やユーザデータの読み出しなどのすべての動作を禁止し、動作不能状態となる。
【００３４】
これにより、仮に、ＰＨＳ端末１４が置き忘れや盗難などによって、正当な所有者以外の第３者の手にに渡ったような場合も、タイマ３２に予め設定された時間が経過してタイムオーバになると、その後は、強制的にＰＨＳ端末１４からの発呼やユーザデータの読み出しなどの動作をすべて禁止して動作不能状態となるので、第３者による発呼やユーザデータの読み出しなどの不正な使用を確実に防止できることになる。
【００３５】
なお、動作不能状態は、キー入力部３０から所定のキーワードを入力することで解除できるようになっている。
一方、図３に戻って、タイマ３２によるタイムオーバに至らない状態で、ＰＨＳ端末１４が充電器１５にセットされ、ステップ３０２で、充電器１５にセットされて充電状態になっていると判断されると、ステップ３０５で、充電器１５のＩＤ記憶部１５２からのＩＤ情報を読み出し、ステップ３０６で、ＰＨＳ端末１４固有の認識（ＩＤ）情報との比較を行う。
【００３６】
そして、ここで、両方のＩＤ情報が一致すれば、ステップ３０７で、ＰＨＳ端末１４からの発呼やユーザデータの読み出しなどが許可されるとともに、ステップ３０１に戻り、タイマ３２が再起動されて、上述した動作を繰り返すようになる。一方、一致しなければ、この場合も正当な所有者以外の第３者により、他の充電器１５にセットされたものとみなして、ステップ３０４に進み、ＰＨＳ端末１４からの発呼やユーザデータの読み出しなどのすべての動作を禁止し、動作不能状態となる。
【００３７】
この場合の動作不能状態も、キー入力部３０から所定のキーワードを入力することで解除できるようになっている。
従って、このようにすれば通信回路網１１に接続された基地局１２、１３に対し無線回線によりＰＨＳ端末１４を接続した無線通信システムにおいて、ＰＨＳ端末１４の充電を行うとともに、ＰＨＳ端末１４固有のＩＤ情報を記憶した充電器１５を有し、また、ＰＨＳ端末１４には、所定のタイマ時間を設定したタイマ３２を有し、充電器１５によるＰＨＳ端末１４の充電状態でなくなってからタイマ３２による所定のタイマ時間が経過すると、ＰＨＳ端末１４での発呼やユーザデータの読み出しなどの動作を不能にし、または充電器１５に記憶された前記ＰＨＳ端末１４固有のＩＤ情報を参照し、自己のＩＤ情報と一致したしたときのみ、タイマ３２の所定のタイマ時間の経過によるＰＨＳ端末１４での発呼やユーザデータの読み出しなどの動作不能状態を回避できるようにしているので、仮に紛失などによりＰＨＳ端末が不特定多数の第３者の手に渡ったような場合も、これら不特定多数の第３者による発呼やプライベートのユーザデータの読み出しなどの不正使用を確実に防止でき、また、正当な端末所有者の使用も安定して確保できるなど、システム運用上の安全性を高めることができる。
なお、上述した実施の形態では、一貫してＰＨＳシステムについて述べたが、携帯電話システムにも適用できることは勿論である。
【００３８】
【発明の効果】
本発明によれば、仮に紛失などにより端末装置が不特定多数の第３者の手に渡ったような場合も、これら不特定多数の第３者によるユーザデータの読み出しなどの不正使用を確実に防止でき、また正当な端末所有者による使用の安定性も確保できるなど、システム運用上の安全性を高めることができる。
【図面の簡単な説明】
【図１】  本発明の一実施の形態が適用される無線通信システムの概略構成を示す図。
【図２】  一実施の形態に用いられるＰＨＳ端末と充電器の概略構成を示す図。
【図３】  一実施の形態の動作を説明するためのフローチャート。
【符号の説明】
１１…通信回線網、
１２…公衆基地局、
１３…自営基地局、
１４…ＰＨＳ端末、
１５…充電器
１５１…充電回路、
１５２…ＩＤ記憶部、
１５３…Ｉ／Ｆ回路、
２１…アンテナ、
２２…送受信装置、
２３…通信制御部、
２４…音声処理部、
２５…スピーカ、
２６…マイクロフォン、
２７…制御部、
２８…ＲＯＭ、
２９…ＲＡＭ、
３０…キー入力部、
３１…表示部、
３２…タイマ、
３３…電源電池。
【図１】
0003885252.tif 000002
【図２】
0003885252.tif 000003
【図３】
0003885252.tif 000004